(57)【要約】【課題】保持面積が拡大・縮小可能で、それぞれのサイズのノートブック・タイプ・コンピュータに好適に適用でき、且つ携帯と収納と使用に共に便利である、ノートブック・タイプ・コンピュータ用放熱ベースを提供する。【解決手段】複数のファン同士１０と複数個の前記ファン同士１０に合せて放熱を実行する放熱孔同士１１とを有し、前記ノートブック・タイプ・コンピュータに対し放熱を実行する放熱板１と、前記放熱板１の側辺部に配置され、前記ノートブック・タイプ・コンピュータを保持することを補助し、ある伸展機構３を介して前記放熱板１に対し接近・離脱する関係を形成する保持板２と、を有する。【選択図】      図４
0003102909.tif 000002
【実用新案登録請求の範囲】
【請求項１】
ノートブック・タイプ・コンピュータのボトム・サイドに取り付けられる、ノートブック・タイプ・コンピュータ用放熱ベースにおいて、
複数のファン同士と複数個の前記ファン同士に合せて放熱を実行する放熱孔同士とを有し、前記ノートブック・タイプ・コンピュータに対し放熱を実行する放熱板と、
前記放熱板の側辺部に配置され、前記ノートブック・タイプ・コンピュータを保持することを補助し、ある伸展機構を介して前記放熱板に対し接近・離脱する関係を形成する保持板と、
を有することを特徴とする、
ノートブック・タイプ・コンピュータ用放熱ベース。
【請求項２】
前記伸展機構には、
それぞれにスライド・ラッカが設けられ、且つそれぞれのスライド・ラッカの両側にそれぞれ滑走槽軌道が設けられる、二本のスライド・ロッドを有し、
且つ、前記放熱板にはスロットを有し、それによって、前記二本のスライド・ロッドの一端を前記保持板と固着接続させながら、他端をスライド可能に前記放熱板におけるスロットに枢着させ、また、そのスロットの空間には、前記スライド・ロッドの滑走槽軌道に合せるための突出レールが設けられ、前記滑走槽軌道を前記突出レールに沿って滑走させ、また、前記スライド・ロッドのスライド・ラッカに対応する突出ブロックが設けられ、前記スライド・ラッカをその突出ブロックに係止させるように構成されることを特徴とする、
請求項１に記載のノートブック・タイプ・コンピュータ用放熱ベース。
【請求項３】
前記伸展機構として二本の積み重ね収納可能なリンクを使用すると共に、それらのリンクの一端を前記放熱板に枢着し、且つその他端を前記保持板に枢着し、前記保持板を前記放熱板に対し接合できるように設定することを特徴とする、
請求項１に記載のノートブック・タイプ・コンピュータ用放熱ベース。
【考案の詳細な説明】
【技術分野】
【０００１】
本考案は、ノートブック・タイプ・コンピュータ用放熱ベースに係わり、特に放熱ベースを伸展可能な構造に考案することによって放熱ベースの収納後のスペースを縮小し、携帯に便利であるようになることができると共に、それぞれ異なるサイズのノートブック・タイプ・コンピュータの使用に柔軟に対応できる、ノートブック・タイプ・コンピュータ用放熱ベースに関するものである。
【背景技術】
【０００２】
ノートブック・タイプ・コンピュータの場合では、よく、利便性が好ましく、携帯可能であることをその優れる点として主張してくるが、その携帯に便利である要求を満足するために、ノートブック・タイプ・コンピュータが軽薄短小になるように設計され、それによって軽量で体積が小さい境地に至らせ、また、そのようになるため、ノートブック・タイプ・コンピュータの内部空間がいつも有限的になり、そのため、そのＣＰＵ（中央処理装置）の生成する熱エネルギーがその狭小の空間内において順調に排出されることができなくなり、そのため、前記のＣＰＵが所定の時間作動後に、“一休み”をしなければならなくなり、そのことによってＣＰＵの内部回路のクール・ダウンを待機し、これも所謂“シャット・ダウン”現象と称される。
【０００３】
そのため、放熱の課題はいつもノートブック・タイプ・コンピュータの最も大きい技術的課題となっており、そのことはノートブック・タイプ・コンピュータの安定さに影響を与え、多くの原因不明の“シャット・ダウン”がその放熱課題が解決されることが出来ないために引き起こされるものであり、また、その放熱の方法もノートブック・タイプ・コンピュータにおけるバッテリの寿命と関係があり、不好適な放熱方法の場合では、大部分のバッテリの電力が放熱に消費されることを招き、バッテリの使用時間を短縮化する場合があり、しかしながら、ノートブック・タイプ・コンピュータの内部の空間が実にかなり有限的であるので、外部配置式のノートブック・タイプ・コンピュータ用放熱ベースを使用することによってその放熱を補助することがこれからの趨勢となっている。
【０００４】
また、一般の放熱ベースはその表面には複数の孔部が形成され、それらのところに複数個のファン同士を配置し、且つファンを露出させ、それらのファン同士が作動する際に、空気を連動して回りに気流を生成させることができ、また、その放熱ベースの表面に複数個のゴム・パッドが配置され、それらによってその放熱ベースに載せられるノートブック・タイプ・コンピュータの底部を保持し、放熱ベースの上面部とノートブック・タイプ・コンピュータの底面部との間に狭小のスペースを形成させ、放熱ベースのファン同士がノートブック・タイプ・コンピュータの底面部より発散する熱エネルギーを拡散させることに利すると共に、そのスペースより熱エネルギーを外部へ放出させる。
【考案の開示】
【考案が解決しようとする課題】
【０００５】
しかしながら、一般に見られる放熱ベースは、その体積が大きく、携帯して外出する場合に不便であり、また、ノートブック・タイプ・コンピュータの体積の設計がますます小型化されるため、この種の従来の放熱ベースがすべてのタイプのサイズのノートブック・タイプ・コンピュータに合せて使用できなく、且つそれらの放熱ベースが大体アルミニウム合金によって作製されるものであるので、所定の重さを有し、ノートブックタイプ・コンピュータの軽薄短小への設計趨勢に従うことが出来ない。
【０００６】
そのため、本考案は、伸展機構を導入することによって放熱ベースを伸縮可能な構成にならせることによって放熱ベースの収納体積を縮小することを特徴とする、放熱ベース構造を提供することをその主要な解決しようとする課題とする。
【課題を解決するための手段】
【０００７】
前記の目的を達成するために、本考案は、複数のファン同士と複数個の前記ファン同士に合せて放熱を実行する放熱孔同士とを有し、前記ノートブック・タイプ・コンピュータに対し放熱を実行する放熱板と、前記放熱板の側辺部に配置され、前記ノートブック・タイプ・コンピュータを保持することを補助し、ある伸展機構を介して前記放熱板に対し接近・離脱する関係を形成する保持板と、からなることを特徴とする、ノートブック・タイプ・コンピュータ用放熱ベースを提供する。
【０００８】
本考案は、前記伸展機構を有するので、放熱ベースの展開と収納の体積の大きさを変更でき、そのため、それぞれ異なるサイズのノートブック・タイプ・コンピュータに適用でき、携帯に便利であり、且つ軽量の材料によって前記伸展機構を作製するので、放熱ベース全体の重量を軽減でき、もし、プラスチック材料によって前記伸展機構を作製する場合、製造と加工が容易である優れる点をさらに有するようになる。
【考案の効果】
【０００９】
ノートブック・タイプ・コンピュータ用放熱ベースが、それぞれ異なるサイズのノートブック・タイプ・コンピュータに適用でき、携帯に便利となっている。
【考案を実施するための最良の形態】
【００１０】
以下に、添付図面を参照しながら、本考案の好適な実施の形態を詳細かつ具体的に説明する。
【００１１】
図１と図２と図３と図４に示すように、本考案の一実施形態のノートブック・タイプ・コンピュータ用放熱ベースには、放熱板１を有し、その表面には複数個のファン同士１０と複数個の前記ファン同士１０に合せて放熱を実施する放熱孔同士１１とを有し、それらによってノートブック・タイプ・コンピュータの底部に対し放熱を実行し、また、その四つの端部に複数個のソフト・パッド同士１２（例えば、ゴム・ピースなどを使用できる）を配置することによってノートブック・タイプ・コンピュータのボトム・サイドを保持し、通風可能なスペースを形成させる。
【００１２】
また、本実施形態には、保持板２を有し、その保持板２の両端部に複数個のソフト・パッド同士１５（例えば、ゴム・ピースなどを使用できる）が配置され、且つそれらのソフト・パッド同士１５の底部に滑走槽１５１が形成され、それによってソフト・パッド同士１５をその滑走槽１５１内において往復移動可能に形成させ、それらのソフト・パッド同士１５の移動によってそれぞれ異なるサイズのノートブック・タイプ・コンピュータを載置でき、それらのソフト・パッド同士１２、１５によって摩擦力を向上することによってノートブック・タイプ・コンピュータを滑走しないように穏やかに保持することが出来る。
【００１３】
また、本実施形態には、伸展機構３を有し、それは放熱板１と保持板２との間に枢着され、それには、それぞれにスライド・ラッカ３０４が設けられ、且つそれぞれのスライド・ラッカ３０４の両側にそれぞれ滑走槽軌道３０３，３０５が設けられる、二本のスライド・ロッド３０１，３０２を有する。
【００１４】
前記二本のスライド・ロッド３０１，３０２の一端を前記保持板２と固着接続させながら、他端をスライド可能に前記放熱板１におけるスロット１３１に枢着させ、また、そのスロット１３１の空間には、前記スライド・ロッド３０１，３０２の滑走槽軌道３０３，３０５に合せるための突出レール１３２，１３３が設けられ、前記滑走槽軌道３０３，３０５を前記突出レール１３２，１３３に沿って滑走させ、また、前記スライド・ロッド３０１，３０２のスライド・ラッカ３０４に対応する突出ブロック１３４が設けられ、前記スライド・ラッカ３０４をその突出ブロック１３４に係止させる。
【００１５】
前記保持板２を放熱板１の方向へ移動する場合、スライド・ロッド３０１，３０２がスロット１３１の空間内に入る際、スライド・ロッド３０１，３０２の滑走槽軌道３０３，３０５が前記突出レール１３２，１３３のレールに沿って滑走し、この場合、保持板２と放熱板１とを揃えさせるように連動でき、それによって放熱ベースの体積を縮小し、携帯に便利にならせると共に、小さいほうのサイズのノートブック・タイプ・コンピュータに適用できるようになり、また、保持板２を放熱板１より離れる方向へ引っ張る場合、スライド・ロッド３０１，３０２がスロット１３１より脱出され、スライド・ロッド３０１，３０２の滑走槽軌道３０３，３０５が突出レール１３２，１３３の軌道に沿って滑走し、この際、保持板２と放熱板１とを離れさせるように連動することができ、放熱ベースの面積を拡大でき、大きいほうのサイズのノートブック・タイプ・コンピュータの使用に合せられるようになり、また、スロット１３１の突出ブロック１３４が軽く前記スライド・ラッカ３０４における歯状突起を係止するので、保持板２を移動する場合、突出ブロック１３４とスライド・ラッカ３０４とが摩擦を生成し、段階性の移動を生成し、保持板２と放熱板１とを相対的に任意の位置に固定させることが出来、突然の滑走などを生じないように設定できる。
【００１６】
また、図５は本考案の他の実施の形態を示す説明図であり、それには、放熱板１と、二本の相同な構造を有するリンク６０１，６０２を有する伸展機構６とを備えており、前記二本のリンク同士６０１，６０２の一端を前記放熱板１に枢着すると共に、その他端を前記保持板２に枢着し、前記二本のリンク同士６０１，６０２の交差部分に枢着点６１１を有し、この枢着点６１１によって二本のリンク同士６０１，６０２を伸展及び縮合し、前記保持板２を前記放熱板１の方向へ押す場合、二本のリンク同士６０１，６０２を積み重ねさせると、保持板２を放熱板１に寄せ付けさせることができ、放熱ベースの面積を縮小でき、また、保持板２を放熱板１より離れる方向へ引き離す場合、二本のリンク同士６０１，６０２を展開させることができ、保持板２と放熱板１とを離れさせることができ、放熱ベースの面積を拡大できる。
【００１７】
前記に説明したのは、単に本考案の実施可能な実施の形態に過ぎなく、本考案の実施範囲を制限するものではなく、本考案の請求の範囲の要旨に基づいて実施される相同効果の変化や修飾などがすべて本考案の主張範囲内に包含されるべきことが言うまでもないことである。
【産業上の利用可能性】
【００１８】
本考案による場合、保持面積が拡大・縮小可能で、それぞれのサイズのノートブック・タイプ・コンピュータに好適に適用でき、且つ携帯と収納と使用に共に便利である、ノートブック・タイプ・コンピュータ用放熱ベースを提供できる。
【図面の簡単な説明】
【００１９】
【図１】本考案の一実施形態の収縮状態を示す外見説明図である。
【図２】本考案の一実施形態の伸展機構を示す説明図である。
【図３】本考案の一実施形態の構成を示す一部拡大図である。
【図４】本考案の一実施形態の展開状態を示す説明図である。
【図５】本考案の他の実施の形態を示す説明図である。
【符号の説明】
【００２０】
１…放熱板、１３１…スロット、１３２，１３３…突出レール、１３４…突出ブロック、２…保持板、３…伸展機構、３０１，３０２…スライド・ロッド、３０３，３０５…滑走槽軌道、３０４…スライド・ラッカ、６…伸展機構、６０１，６０２…リンク、１０…ファン同士、１１…放熱孔同士。
【図１】
0003102909.tif 000003
【図２】
0003102909.tif 000004
【図３】
0003102909.tif 000005
【図４】
0003102909.tif 000006
【図５】
0003102909.tif 000007